(57)【要約】【課題】本考案は、車用型MP3音声変換器を提供する。【解決手段】本考案はキャビネットの内部に、MP3デコーダ、周波数変調送信モジュール、及び制御回路に関連するプリンタ基板を設けている。そのプリンタ基板はさらに音声入力端子、音声出力端子、USB連結インタフェース、メモリカードコネクター、及びそれに関連する操作ボタン組を設けている。且つキャビネットの内部にあるのシガレットライタープラグに接続され、USB連結インタフェース又はメモリカードコネクターの伝送インタフェースを利用して、一般のメモリ装置に保存したMP3音声データを取得して、さらにMP3デコーダによってデコードして、最後デコードした音声信号を周波数変調送信モジュールを介して無線方式で放送して、又は音声出力端子を介して出力する車用型MP3音声変換器。【選択図】図１
0003118853.tif 000002
【実用新案登録請求の範囲】
【請求項１】
部材に関連する機械結構を組み立てるための本体で、シガレットライタープラグを設けるキャビネットと、
キャビネットの内部に設けて、入力されたMP3音声データに対してデコードして放送するMP3デコーダと、
キャビネットの内部に設けて、放送された音声信号を無線の方式で送信する周波数変調送信モジュール、
キャビネットの内部に設けて、制御回路、音声入力ソケット、USB連結インタフェース、メモリカードコネクター、及び操作ボタン組から構成するプリンタ基板を含むことを特徴とする車用型ＭＰ３音声変換器。
【請求項２】
前記キャビネットは、ベース及び上蓋から構成して、前記ベースは二つの対称な下蓋を組み立て構成して、前記シガレットライタープラグがベースに設けることを特徴とする請求項１に記載の車用型ＭＰ３音声変換器。
【請求項３】
前記シガレットライタープラグの内部にヒューズ設けることを特徴とする請求項１に記載の車用型ＭＰ３音声変換器。
【請求項４】
前記MP3デコーダと周波数変調送信モジュールは直接プリンタ基板に組み立てることを特徴とする請求項１に記載の車用型ＭＰ３音声変換器。
【請求項５】
前記操作ボタン組は放送ボタン、下の曲目切替ボタン、上の曲目切替ボタン、及びチャンネル選択ボタンを含むことを特徴とする請求項１に記載の車用型ＭＰ３音声変換器。
【請求項６】
前記メモリカードコネクターはSD/MMCメモリカードに対応したスロットコネクターであるものを特徴とする請求項１に記載の車用型ＭＰ３音声変換器。
【請求項７】
前記プリンタ基板に音声出力端子及び音声入力端子を組み立てるものを特徴とする請求項１に記載の車用型ＭＰ３音声変換器。
【請求項８】
前記プリンタ基板に同時にUSB連結インタフェース及びメモリカードコネクターを備えるものを特徴とする請求項１に記載の車用型ＭＰ３音声変換器。
【請求項９】
前記USB連結インタフェースは、自動充電機能を有して同時に携帯電話の充電と音楽の放送をするものを特徴とする請求項１に記載の車用型ＭＰ３音声変換器。
【請求項１０】
前記USB連結インタフェースは、携帯電話でハンドフリーの機能を構成するものを特徴とする請求項１に記載の車用型ＭＰ３音声変換器。
【考案の詳細な説明】
【技術分野】
【０００１】
本考案は音声変換器に関し、特に自動充電機能を有するUSB連結インタフェース、メモリカードコネクターなどの伝送インタフェースを介して、直接周辺装置又はメモリ装置に保存されたMP3音楽を放送して、且つ周波数変調送信モジュールを介して無線方式で送信して、又は、音声出力端子で出力した車用型ＭＰ３音声変換器に関するものです。
【背景技術】
【０００２】
ディジタル化情報の中に、全ての音声フォーマットはディジタルデデコーダの方式で保存する。一般に音声データと合成音声（MIDI）を二種類に分ける。その内に、音声データはアナログ・ディジタル変換器でサンプリングしてディジタルフォーマットに変換されて、且つコンピュータのメモリ装置の中に保存する。合成音声はコンピュータに保存された音声から構成する。音声データはディジタルフォーマットに変換されてサンプリングした周波数が高ければ高いほど必要な保存空間が大くなる。同様なサンプリング解像度が高ければ高いほど必要な保存空間も大くなる。
【０００３】
例えば、良く見える音波フォーマットデータは波（Wave）データに属して、一般に＊.Waveファイルで保存する。但し、Waveファイルフォーマットでは、必要な保存空間は一分間の音波データで、ほぼ数十MBの保存空間が必要で、保存空間の消費に相当する。その課題を解決するために、MP3の音波フォーマットが発生している。MP3フォーマットの音波データはMPEG Audio Layer 3の技術を利用して、音波データを１：１で更に１：１２での圧縮率で容量が比較的に小さいファイルになっている。即ち、人間の聴覚の上てある面の不足を利用して、破壊性な圧縮を採用して、人間の耳で聞かえない高低の音声周波数を除去されて、容量が比較的に小さいディジタルの圧縮率ファイルフォーマットに変換してなっている。
【０００４】
又、MP3音波フォーマットに占有された保存空間が小さいので、メモリカード、メモリステッキなどのメモリ装置に保存して、従って、あるメモリステッキは更にMP3放送機能を備えて、MP3メモリステッキになって、ユーザがMP3メモリステッキのイヤホン端子（即ち一般に音声出力端子と称える）、デコードされた音声信号はイヤホン又はスピーカで放送する。
【０００５】
さらに、市販の商品の中には、車用音響専用のために設計されたMP3音声変換器があって、車用音響はMP3音声変換器を介してデコードされた音声信号のみを取得して、一般にユーザはMP3音楽の保存習慣として、車用音響はメモリカード、USBメモリステッキなどのメモリ装置に保存されたMP3音楽を放送できない。
【考案の開示】
【考案が解決しようとする課題】
【０００６】
この考案は、保存空間を減少し、車用型MP3音声変換器の適用性と使用上の便利性を増加することを課題とする。
【課題を解決するための手段】
【０００７】
本考案はこのような事情に鑑みてなされたものであって、シガレットライタープラグを有するキャビネットの内部に、MP3デコーダ、周波数変調送信モジュール、及び制御回路に関連するプリンタ基板を設けている。そのうちに、そのプリンタ基板にさらに音声入力端子、音声出力端子、USB連結インタフェース、メモリカードコネクター、及びそれに関連する操作ボタン組を設けている。且つキャビネットの内部にあるシガレットライタープラグに接続されている。
【０００８】
音声信号を無線方式で放送する伝送モードの変換機能を有するの他に、さらにUSB連結インタフェース又はメモリカードコネクターの伝送インタフェースで、メモリ装置に保存されたMP3音波データを取得して、さらに内部に取り付けたMP3デコーダによってデコードして放送する車用型MP3音声変換器である。USBは自動充電及び携帯電話との接続機能を有するので、MP3の音楽を聴きながら携帯電話を充電して、ハンドフリーの機能とする。
【考案を実施するための最良の形態】
【０００９】
本考案に関する詳細構成、使用機能、適用原理について、次の図面を参照して説明する。
【００１０】
本考案のMP3音声変換器は、その全体の音声変換器の基本結構構成が図１に示すように、キャビネット１０、MP3デコーダ２０、周波数変調送信モジュール３０、及び制御回路に関連するプリンタ基板４０から構成しています。
【００１１】
その中に、キャビネット１０は全体の音声変換器に関連する部材を組み立てるための主要な機械結構の本体である。実行するとき、全体のキャビネット１０はベース１１及び上蓋１２からなっている。ベース１１はさらに二つの対称な下蓋で組み立てて構成する。且つヒューズ１３１を設けるシガレットライタープラグ１３（図2に示すように）を構成して、シガレットライターは電源端子と接続するように全体の音声変換器を運転するときに必要な電源を取得することができる。
【００１２】
図1〜図4を参照して、図1〜図４に示すように、MP3デコーダ２０と周波数変調送信モジュール３０は直接プリンタ基板４０に取り付けて、且つプリンタ基板４０はさらに音声入力端子４１、音声出力端子４２、USB連結インタフェース４３、メモリカードコネクター４４、及びそれに関連する操作ボタン組４５を設けている。且つキャビネット１０の内部のに接続されているシガレットライタープラグ１３、プリンタ基板４０がシガレットライタープラグ１３を介して電源を入力して、且つプリンタ基板４０がMP3デコーダ２０、操作ボタン組４５、音声入力端子４１、音声出力端子４２、USB連結インタフェース４３、及びメモリカードコネクター４４など伝送インタフェースの回路の運転を集めている。
【００１３】
具体的に実施する場合、操作ボタン組４５は放送ボタン４５１、下の曲目切替ボタン４５２、上の曲目切替ボタン４５３、及びチャンネル選択ボタン４５４を含んでいる。メモリカードコネクター４４では、SD/MMCメモリカードに対応したスロットコネクターを接続すことができる。
【００１４】
そして、音声入力端子４１を介してCDプレーヤ、MP3メモリステッキなどの周辺装置で放送されたの音声信号を取得し、且つ周波数変調送信モジュール３０を介して音声信号を無線方式で放送して、及びUSB主装置４３又はメモリカードコネクター４４の伝送インタフェースを利用して、一般的なメモリ装置（例えばメモリステッキ、メモリカード）中のMP3音声データを取得して、さらに内蔵したMP3デコーダ２０で、直接取得したMP3音声データをデコードして放送して、デコードした後の音声信号は周波数変調送信モジュール３０を介して音声信号を無線方式で放送して、又は音声出力端子４２を介して出力して、再びイヤホン又はスピーカを経由して放送する。車用音響でメモリカード、MP3メモリステッキなどのメモリ装置に保存した音楽を放送できない課題を有効に解決することができる。
【産業上の利用可能性】
【００１５】
上記のように、本考案は、最適な車用型MP3音声変換器を提供する。ただ、以上の実施説明及び図面に示すように、本考案の最適な実施例であるもので、本考案の実施範囲に限定されなく、全て本考案の構造、装置、特徴などと近似、同じなものでは、本考案の特許請求の範囲に属するものとする。
【図面の簡単な説明】
【００１６】
【図１】本考案の音声変換器の結構分解図である。
【図２】本考案の音声変換器の構成ブロックの模式図である。
【図３】本考案の音声変換器の外観斜面図である。
【図４】本考案の音声変換器の他の視角からみる外観斜面図である。
【符号の説明】
【００１７】
１０    キャビネット
１１    ベース
１１１    下蓋
１２    上蓋
１３    シガレットライタープラグ
１３１    フューズ
２０    MP3デコーダ
３０    周波数変調送信モジュール
４０    プリント基板
４１    音声入力端子
４２    音声出力端子
４３    USB連結インタフェース
４４    メモリカードコネクター
４５    操作ボタン組
４５１    放送ボタン
４５２    下の曲目切替ボタン
４５３    上の曲目切替ボタン
４５４    チャンネル選択ボタン
【図１】
0003118853.tif 000003
【図２】
0003118853.tif 000004
【図３】
0003118853.tif 000005
【図４】
0003118853.tif 000006